(57)【要約】【課題】足場用幅木として用いる部材の選択の自由度を向上させることができる、足場用幅木の取付具を提供すること。【解決手段】足場用幅木を上方から挿入可能とした凹状部１１と、この凹状部１１に固定され、足場を構成する足場板に着脱自在に取り付けられる係止部１２とを有する。前記係止部１２は、それぞれ先端部分をコ字状として前記足場板の側部に係止可能とし、かつ互いの基端部分同士を締結具４０により連結可能とした第１及び第２の係止片３１，３２を有しており、前記第１及び第２の係止片３１，３２のうち少なくとも一方の基端部分に調整用長孔３３を穿設して、当該調整用長孔３３に前記締結具４０を挿通して前記第１及び第２の係止片３１，３２の基端同士を連結可能とした。【選択図】図２
2011246994.tif 000002
【特許請求の範囲】
【請求項１】
足場用幅木を上方から挿入可能とした凹状部と、
前記凹状部に連設され、足場を構成する足場板に着脱自在に取り付けられる係止部と、
を有することを特徴とする足場用幅木の取付具。
【請求項２】
前記係止部は、それぞれ先端部分をコ字状として前記足場板の側部に係止可能とし、かつ互いの基端部分同士を締結具により連結可能とした第１及び第２の係止片を有しており、
前記第１及び第２の係止片のうち少なくとも一方の基端部分に調整用長孔を穿設して、当該調整用長孔に前記締結具を挿通して前記第１及び第２の係止片の基端同士を連結可能としたことを特徴とする請求項１に記載の足場用幅木の取付具。
【請求項３】
前記基端部分同士の連結角度として、少なくとも２以上の連結角度を選択可能としたことを特徴とする請求項２に記載の足場用幅木の取付具。
【請求項４】
前記第１及び第２の係止片の基端部分は、それぞれ他方の基端部分と当接する面を平坦面として、前記基端部分同士の連結角度を少なくとも平角から直角までの間で選択可能とした
ことを特徴とする請求項３に記載の足場用幅木の取付具。
【請求項５】
前記第１及び第２の係止片のうちいずれか一方の基端部分に、他方の基端部分との連結角度を平角又は直角に選択的に規制するガイド部を設けたことを特徴とする請求項３に記載の足場用幅木の取付具。
【請求項６】
前記凹状部は、当該凹状部に挿入された足場用幅木を固定する線状体を係止するための一対の引掛部を有することを特徴とする請求項１〜５のいずれか１項に記載の足場用幅木の取付具。
【請求項７】
前記引掛部は、前記凹状部を構成する側板の上端を、下方に向けて外側に屈曲させて形成されていることを特徴とする請求項６に記載の足場用幅木の取付具。
【請求項８】
前記引掛部は、前記凹状部を構成する側板の一部に、それぞれ切り起こされて形成されていることを特徴とする請求項６に記載の足場用幅木の取付具。
【請求項９】
前記凹状部は、当該凹状部を構成する一対の側板間の間隔を調整できるように前記係止部に連設されていることを特徴とする請求項１〜８のいずれか１項に記載の足場用幅木の取付具。
【発明の詳細な説明】
【技術分野】
【０００１】
本発明は、建築物の周囲に、縦支柱と横桟とを枠組みして足場板を配置した仮設足場において、足場板の周囲に足場用幅木を取り付けるための取付具（以下、幅木取付具という）に関する。
【背景技術】
【０００２】
新築工事や改装工事などのための建築現場においては、建築物の周囲に縦支柱と横桟とを枠組みして足場板を配置した仮設足場が構築される。このような仮設足場では、作業者及び工具類等が落下することを防止するために、足場板の周囲に保護板として足場用幅木が取り付けられることが多い。
【０００３】
従来、かかる足場用幅木は、足場の縦支柱に針金等により縛り付けることが多かったが、近年では、縦支柱間に足場用幅木を取り付けるための幅木取付具が提案されており、この幅木取付具により足場用幅木の取り付けが容易になっている（特許文献１参照）。
【先行技術文献】
【特許文献】
【０００４】
【特許文献１】特開平１０−１０２７６６号公報
【発明の概要】
【発明が解決しようとする課題】
【０００５】
ところが、従来の幅木取付具は、縦支柱間に足場用幅木を取り付けるものであり、縦支柱の間隔に応じた長さの足場用幅木を用意しなければならない。しかも、建築現場によって縦支柱の間隔が異なるような場合には、建築現場に応じて長さの異なる足場用幅木を用いなければならない。
【０００６】
このように従来の幅木取付具では、縦支柱の間隔に応じた長さの足場用幅木が必要となるため、足場用幅木として用いる部材の選択の自由度が制限され、その結果、仮設足場を設置するためのコストを押上げる要因となっていた。
【０００７】
本発明は、上述したような課題に鑑みてなされたものであり、足場用幅木として用いる部材の選択の自由度を向上させることができる、幅木取付具を提供することを目的とする。
【課題を解決するための手段】
【０００８】
（１）本発明では、足場用幅木を上方から挿入可能とした凹状部と、前記凹状部に連設され、足場を構成する足場板に着脱自在に取り付けられる係止部とを有する幅木取付具とした。
【０００９】
（２）本発明は、前記（１）の幅木取付具において、前記係止部は、それぞれ先端部分をコ字状として前記足場板の側部に係止可能とし、かつ互いの基端部分同士を締結具により連結可能とした第１及び第２の係止片を有しており、前記第１及び第２の係止片のうち少なくとも一方の基端部分に調整用長孔を穿設して、当該調整用長孔に前記締結具を挿通して前記第１及び第２の係止片の基端同士を連結可能としたことを特徴とする。
【００１０】
（３）本発明は、前記（２）の幅木取付具において、前記基端部分同士の連結角度として、少なくとも２以上の連結角度を選択可能としたことを特徴とする。
【００１１】
（４）本発明は、前記（３）の幅木取付具において、前記第１及び第２の係止片の基端部分は、それぞれ他方の基端部分と当接する面を平坦面として、前記基端部分同士の連結角度を少なくとも平角から直角までの間で選択可能としたことを特徴とする。
【００１２】
（５）本発明は、前記（３）の幅木取付具において、前記第１及び第２の係止片のうちいずれか一方の基端部分に、他方の基端部分との連結角度を平角又は直角に選択的に規制するガイド部を設けたことを特徴とする。
【００１３】
（６）本発明は、前記（１）〜（５）の幅木取付具のいずれかにおいて、前記凹状部は、当該凹状部に挿入された足場用幅木を固定する線状体を係止するための一対の引掛部を有することを特徴とする。
【００１４】
（７）本発明は、前記（６）の幅木取付具において、前記引掛部は、前記凹状部を構成する側板の上端を、下方に向けて外側に屈曲させて形成されていることを特徴とする。
【００１５】
（８）本発明は、前記（６）の幅木取付具において、前記引掛部は、前記凹状部を構成する側板の一部に、それぞれ切り起こされて形成されていることを特徴とする。
【００１６】
（９）本発明は、前記（１）〜（８）の幅木取付具のいずれかにおいて、前記凹状部は、当該凹状部を構成する一対の側板間の間隔を調整できるように前記係止部に連設されていることを特徴とする。
【発明の効果】
【００１７】
本発明によれば、幅木取付具は、足場用幅木を上方から挿入可能とした凹状部と、前記凹状部に連設され、足場を構成する足場板に着脱自在に取り付けられる係止部とを有しているので、足場用幅木として用いる部材の選択の自由度を向上させることができる。
【図面の簡単な説明】
【００１８】
【図１】本発明の第１実施形態に係る仮設足場の構成を示す図である。
【図２】図１に示す仮設足場に用いる幅木取付具の構成を示す図である。
【図３】幅木取付具の足場板への取付方法を示す図である。
【図４】幅木取付具の足場板への取付態様を示す図である。
【図５】幅木取付具により足場板へ足場用幅木を取り付けた様子を示す図である。
【図６】仮設足場に幅木取付具により足場用幅木を取り付ける手順の説明図である。
【図７】本発明の第２実施形態に係る幅木取付具の構成を示す図である。
【図８】図７に示す幅木取付具での足場用幅木の取り付け態様を示す図である。
【図９】本発明の第３実施形態に係る幅木取付具の構成を示す図である。
【図１０】本発明の第４実施形態に係る幅木取付具の構成を示す図である。
【図１１】本発明のその他の実施形態に係る幅木取付具の構成を示す図である。
【図１２】本発明のその他の実施形態に係る幅木取付具の構成を示す図である。
【図１３】本発明のその他の実施形態に係る幅木取付具の構成を示す図である。
【発明を実施するための形態】
【００１９】
［第１実施形態］
以下、本発明の幅木取付具の第１実施形態について、図面を参照して具体的に説明する。図１は仮設足場の構成を示す図であり、図２は図１に示す仮設足場に設置する足場用幅木を取り付けるための幅木取付具の構成を示す図である。
【００２０】
まず、本実施形態に係る幅木取付具が適用される仮設足場Ｍの構成を説明する。図１に示すように、仮設足場Ｍは一般的な仮設足場であり、建築物（図示せず）の周囲に、縦支柱１と横桟２とを枠組みして足場板３を略水平に配置している。
【００２１】
横桟２は、横架材とも呼ばれており、隣接する縦支柱１間に各横桟２が水平に架け渡されることで、縦支柱１と横桟２とが枠組みされる。そして、隣接する横桟２間には、複数の足場板３が架け渡され、さらに、縦支柱１間には、交さ筋交４などが取り付けられて仮設足場Ｍが構成される。
【００２２】
このような仮設足場Ｍに適用される幅木取付具１０は、図２（ａ），（ｂ）に示すように、足場用幅木Ｎを上方から挿入可能とした凹所２０を有する凹状部１１と、この凹状部１１に連接固定され、足場板３に着脱自在に取り付けられる係止部１２とを有して構成される。
【００２３】
凹状部１１は、底板２０ｃと、この底板２０ｃに立設された対向する一対の側板２０ａ，２０ｂとから構成されており、これらで形成する凹所２０へ足場用幅木Ｎを上方から挿入する。側板２０ａ，２０ｂと底板２０ｃとからなる凹状部１１は、細長の金属板を略コ字型形状に折曲するという簡単な加工で形成することができる。なお、凹状部１１を折曲形成するのではなく、一点鎖線で示すように、側板２０ａ，２０ｂをそれぞれ略Ｌ字状に形成して、両者を突き合わせるように構成してもよい。
【００２４】
さらに、凹状部１１の上端、すなわち、側板２０ａ，２０ｂの上端には、引掛部となる折返部２１ａ，２１ｂが形成されている。これら一対の折返部２１ａ，２１ｂは、後述するように、凹所２０に挿入した足場用幅木Ｎを固定するための線状体としての紐６を係止するために用いられるものである。各折返部２１ａ，２１ｂは、各側板２０ａ，２０ｂの上端を下方に向けて逆Ｊ字に外側へ屈曲形成されており、極めて簡単な加工で形成することができる。
【００２５】
係止部１２は、凹状部１１に溶着等により固設されており、仮設足場Ｍを構成する足場板３に着脱自在に取り付けられる。この係止部１２により、凹状部１１の凹所２０に挿入した足場用幅木Ｎを足場板３に取り付けることが可能となる。
【００２６】
特に、この係止部１２は、図２に示すように構成されることから、足場板３への取り付けの自由度を向上させることを可能としている。すなわち、係止部１２は、締結具４０により連結可能とした第１及び第２の係止片３１，３２を有しており、足場板３への取り付け位置に応じて第１の係止片３１と第２の係止片３２との連結態様（連結位置や連結角度など）を変更可能としている。
【００２７】
第１及び第２の係止片３１，３２は、それぞれ細長の金属板を屈曲させて略Ｌ字状に形成されており、先端部分３１ｂ，３２ｂを略コ字状として足場板３の側部に係止可能とし、かつ互いの基端部分３１ａ，３２ａ同士を締結具４０により連結可能としている。すなわち、第１及び第２の係止片３１，３２は、それぞれ略コ字状の先端部分３１ｂ，３２ｂにより足場板３の側端面を抱持するようにして取付けられている。
【００２８】
締結具４０は、雄ねじを形成したボルト４０ａと雌ねじを形成したナット４０ｂとからなる。ボルト４０ａの一端は、第１の係止片３１の基端部分３１ａに溶着等により固着されている。また、第２の係止片３２の基端部分３２ａには、調整用長孔３３が穿設されており、この調整用長孔３３にボルト４０ａを挿通することで、第１及び第２の係止片３１，３２の基端部分３１ａ，３２ａ同士を連結可能としている。この状態では、第１の係止片３１に対する第２の係止片３２の相対位置を調整可能である。
【００２９】
例えば、第１及び第２の係止片３１，３２を、図３（ａ）に示すような状態として足場板３に係止部１２を取り付け可能な状態とする。その後、図３（ｂ）に示すように、調整用長孔３３を介して第１及び第２の係止片３１，３２の全幅を収縮させて足場板３の側面に第１及び第２の係止片３１，３２の先端部分３１ｂ，３２ｂを係止させ、ボルト４０ａにナット４０ｂを螺合させることで、第１の係止片３１と第２の係止片３２とを連結固定して、足場板３に係止部１２を取り付ける。
【００３０】
図３（ａ），（ｂ）では、第１の係止片３１と第２の係止片３２との連結態様として、基端部分３１ａ，３２ａ同士の連結角度を平角（１８０度）とした例を示したが、本実施形態に係る係止部１２は、基端部分３１ａ，３２ａ同士の連結角度を少なくとも平角から直角までの間で選択することができる。
【００３１】
すなわち、第１及び第２の係止片３１，３２の基端部分３１ａ，３２ａは、図２（ａ）に示すように、それぞれ他方の基端部分と当接する面を平坦面として、第１の係止片３１に対する第２の係止片３２の角度を変更可能としており、これにより、基端部分３１ａ，３２ａ同士の連結角度を少なくとも平角から直角までの間で選択することができる。
【００３２】
このように、基端部分３１ａ，３２ａ同士の連結角度を少なくとも平角から直角までの間で選択することができるため、図４に示すように、足場板３の対向する側面間に係止するだけではなく、足場板３の隣接する側面間に係止することが可能となる。
【００３３】
なお、第２の係止片３２において、基端部分３２ａと先端部分３２ｂとの間の本体部分３２ｃは、基端部分３２ａとの間に第１の係止片３１の基端部分３１ａの厚み分の段差を設けている。これにより、係止部１２を足場板３に取り付けたときに、本体部分３２ｃが足場板３に当接することとなり、係止部１２を足場板３に安定して取り付けることができる。
【００３４】
また、各係止片３１，３２の基端部分３１ａ，３２ａの先端形状を半円状に形成している。これにより、基端部分３１ａ，３２ａ同士の連結角度がどのような角度であっても、エッジの発生を防止して安全性を高めることができる。
【００３５】
さらに、基端部分３１ａ，３２ａ同士の連結角度がどのような角度であっても、平面視において第２の係止片３２の基端部分３２ａの先端が第１の係止片３１の基端部分３１ａに重合するように、基端部分３１ａを基端部分３２ａよりも大きく形成している。そのため、平面視において先端部分３２ｂから第１の係止片３１の基端部分３１ａが突出することを防止して安全性を高めることができる。
【００３６】
幅木取付具１０は、図４に示すように、足場板３の様々な位置に取り付けることができるため、図５に示すように、足場板３の周囲に足場用幅木Ｎを容易に配置することが可能となる。
【００３７】
特に、各足場用幅木Ｎを取り付けるための複数の幅木取付具１０の取付間隔を自由に設定することができるため、足場用幅木Ｎとして用いる部材の選択の自由度を向上させることが可能となる。従って、様々な長さの足場用幅木Ｎを用いることができ、その結果、足場用幅木を配置した足場設置であってもそのコストを低減することが可能となる。
【００３８】
また、図２（ｂ）に示すように、凹状部１１は、第１の係止片３１の先端部分３１ｂ近くに固着することにより、建築現場の作業者が移動する足場板３上の領域を広くとることができる。なお、図示しないが、凹状部１１を第１の係止片３１の先端部分３１ｂからよりも外側に突出させるようにしてもよい。このようにすることで、足場板３上の領域をより確保することができる。
【００３９】
ここで、建築現場での幅木取付具１０の取付手順について図６を参照して説明する。
【００４０】
まず、図６（ａ）に示すように、縦支柱１と横桟２とを枠組みし、足場板を配置して足場を仮設する。
【００４１】
次に、図６（ｂ）に示すように、足場板３に複数の幅木取付具１０を取り付ける。このとき、幅木取付具１０の取付位置は、足場用幅木Ｎの長さや足場用幅木Ｎを取り付けたときの安定性などを考慮した位置とする。
【００４２】
次に、図６（ｃ）に示すように、各幅木取付具１０の凹所２０に足場用幅木Ｎを挿入して、仮設足場Ｍに足場用幅木Ｎを取り付ける。この状態では、足場用幅木Ｎは、凹所２０に挿入しているだけであるため、意図しない原因により足場用幅木Ｎが凹所２０から外れる可能性があり、安定性に欠ける。そこで、図５に示すように、一対の折返部２１ａ，２１ｂに紐６を係止することで足場用幅木Ｎを固定して足場用幅木Ｎの仮設足場Ｍへの取り付けを完了する。
【００４３】
以上のように、本実施形態に係る幅木取付具１０では、足場用幅木Ｎを上方から挿入可能とした凹状部１１と、凹状部１１に固定され、仮設足場Ｍを構成する足場板３に着脱自在に取り付けられる係止部１２と有しているため、足場板３の様々な位置に取り付けることができる。そのため、様々な長さの足場用幅木Ｎを用いることができ、その結果、足場用幅木を配置した足場設置であってもそのコストを低減することが可能となる。
【００４４】
なお、ボルト４０ａは、第１の係止片３１に溶着等により固着することとしたが、ボルト軸の一端に頭部を設けてボルト４０ａを形成すると共に、第１の係止片３１に貫通孔を設けて、この貫通孔にボルト４０ａを挿通してナット４０ｂを螺合させるようにしてもよい。
【００４５】
［第２施形態］
上記第１実施形態の幅木取付具１０では、凹状部１１を一部材で構成するものであったが、第２実施形態の幅木取付具１００では、凹状部１１１を複数の部材で構成するようにしている。
【００４６】
図７（ａ），（ｂ）に示すように、第２実施形態の幅木取付具１００は、凹状部１１１と、この凹状部１１１に固定される係止部１１２とを有している。
【００４７】
凹状部１１１は、それぞれ略Ｌ字形状を有する側板１２０ａ，１２０ｂから構成されている。そして、これら一対の側板１２０ａ，１２０ｂと係止部１１２とにより凹所１２０が構成され、足場用幅木Ｎを上方から挿入可能としている。
【００４８】
側板１２０ａ，１２０ｂのうち、第１の側板１２０ａの基端部分１２２ａは、第１の係止片１３１の先端部分１３１ｂ近くに溶着等により固定（固着）される。一方、第２の側板１２０ｂの基端部分１２２ｂは、第１及び第２の係止片１３１，１３２を締結具１４０により連結固定する際に、第１の係止片１３１に連結固定される。このとき、第１の側板１２０ａと第２の側板１２０ｂとの間の距離を足場用幅木Ｎの幅と同程度に調整することで、幅木取付具１００に足場用幅木Ｎを安定した状態で取り付けることができる。なお、第１及び第２の係止片１３１，１３２は、第１実施形態に係る第１及び第２の係止片３１，３２と同様の構成である。
【００４９】
第２の側板１２０ｂの基端部分１２２ｂには、調整用長孔１２３が穿設されており、この調整用長孔１２３に、第１の係止片１３１の基端部分１３１ａに固着されたボルト１４０ａを挿通することで、幅調整が可能な凹所１２０が形成される。このとき、足場用幅木Ｎを凹所１２０に挿入し、凹所１２０の幅（第１の側板１２０ａと第２の側板１２０ｂの間隔）を足場用幅木Ｎの厚みに合わせるように調整することで、凹所１２０の幅を適切に調整することができる。
【００５０】
そして、第２の側板１２０ｂの調整用長孔１２３を貫通したボルト１４０ａに、第２の係止片１３２に形成された調整用長孔１３３を挿通し、ボルト１４０ａにナット１４０ｂを螺合させることにより、第１及び第２の係止片１３１，１３２と第２の側板１２０ｂとが互いに連結固定される。
【００５１】
このように、凹所１２０の幅を、調整可能としているため、図８（ａ）に示すように足場用幅木Ｎの厚みが薄い場合や図８（ｂ）に示すように足場用幅木Ｎの厚みが厚い場合のいずれの場合であっても、足場用幅木Ｎを安定的に保持することが可能となる。
【００５２】
なお、第２の係止片１３２において、基端部分１３２ａと先端部分１３２ｂとの間の本体部分１３２ｃは、基端部分１３２ａとの間に第１の係止片１３１の基端部分１３１ａの厚み分に他方の側板１２０ｂの基端部分１２２ｂの厚み分を加えた厚み分の段差を設けている。これにより、係止部１１２を足場板３に取り付けたときに、本体部分１３２ｃが足場板３に当接することとなり、係止部１１２を足場板３に安定して取り付けることができる。
【００５３】
また、他方の側板１２０ｂの基端部分１２２ｂは、第１の係止片１３１の基端部分１３１ａと同形状としている。これにより平面視において基端部分１３２ａから第１の係止片１３１の基端部分１３１ａから突出することを防止して安全性を高めることができる。
【００５４】
［第３施形態］
第３実施形態の幅木取付具は、第２実施形態の幅木取付具１００と同様に、凹状部を複数の部材で構成して、凹所の幅を適切に調整することができるものである。
【００５５】
しかし、第３実施形態の幅木取付具では、上記第２実施形態の幅木取付具１００のように、基端部分１３１ａ，１３２ａ同士の連結角度を少なくとも平角から直角までの間で選択することができない。すなわち、第３実施形態の幅木取付具では、後述する基端部分２３１ａ，２３２ａ同士の連結角度を平角のみに限定している。
【００５６】
図９（ａ），（ｂ）に、第３実施形態の幅木取付具２００の構成を示す。同図に示すように、第３実施形態の幅木取付具２００は、第２実施形態に係る幅木取付具１００と同様に、凹状部２１１と、この凹状部２１１を固定する係止部２１２とを有し、凹状部２１１はそれぞれＬ字形状の側板２２０ａ，２２０ｂから構成されている。そして、これら一対の側板２２０ａ，２２０ｂと係止部２１２とにより凹所２２０が構成され、足場用幅木Ｎを上方から挿入可能としている。
【００５７】
側板２２０ａ，２２０ｂのうち、第１の側板２２０ａの基端部分２２２ａは、第１の係止片２３１の先端部分２３１ｂ近くに溶着等により固定（固着）される。一方、第２の側板２２０ｂの基端部分２２４は、第１及び第２の係止片２３１，２３２を締結具２４０により連結固定する際に、第１の係止片２３１に連結固定される。このとき、第１の側板２２０ａと他方の２２０ｂとの間の距離を足場用幅木Ｎの幅と同程度に調整することで、幅木取付具２００に足場用幅木Ｎを安定した状態で取り付けることができる。
【００５８】
さらに、幅木取付具２００は、第１の係止片２３１の基端部分２３１ａの両側部分（Ｙ方向の両側部分）を上方に屈曲させてガイド部２３５を形成している。このガイド部２３５により、第１の係止片２３１に対する第２の係止片２３２のＸＹ方向の移動に関し、第２の側板２２０ｂの基端部分２２４及び第２の係止片２３２のＹ方向の移動を規制して、Ｘ方向にのみ移動するようにして、基端部分２３１ａ，２３２ａ同士の連結角度を平角のみに限定している。このように構成することで、第１の係止片２３１、第２の係止片２３２及び第２の側板２２０ｂの締結具２４０による連結時、その位置合わせを容易にしている。
【００５９】
なお、第２の係止片２３２の基端部分２３２ａの先端を上側に屈曲させるようにしており、これにより、第２の側板２２０ｂと第２の係止片２３２との位置を規制している。
【００６０】
［第４実施形態］
第４実施形態の幅木取付具は、第３実施形態の幅木取付具と同様に、凹状部を複数の部材で構成して、凹所の幅を適切に調整できるようにしているが、後述する基端部分３３１ａ，３３２ａ同士の連結角度を平角と直角の２つの角度としている点で異なる。
【００６１】
図１０（ａ），（ｂ）に、第４実施形態の幅木取付具３００の構成を示す。同図に示すように、幅木取付具３００は、凹状部３１１がＬ字形状の第１の側板３２０ａと第２の側板３２０ｂとからなる、第３実施形態に係る幅木取付具２００と略同様の構成であるが、第１の係止片３３１の基端部分３３１ａに形成されるガイド部３３５の形状が異なる。
【００６２】
すなわち、第４実施形態の幅木取付具３００では、第１の係止片３３１の基端部分３３１ａの両側部分（Ｙ方向の両側部分）を上方に屈曲させつつ、一部に切り欠き部分を設けたガイド部３３５を形成している。換言すれば、ガイド部３３５は、基端部分３３１ａの両側部分のそれぞれに所定間隔Ｗを空けて上方に屈曲させた部分を形成している。
【００６３】
所定間隔Ｗは、第２の係止片３３２の幅とほぼ同程度にしており、これにより、基端部分３３１ａの両側部分においてそれぞれ上方に屈曲させた部分の間を第２の係止片３３２が通過可能としている。従って、第１の係止片３３１に対する第２の係止片３３２のＸＹ方向の移動に関し、第２の係止片３３２の移動をＸ方向とＹ方向のみとなるように規制され、基端部分３３１ａ，３３２ａ同士の連結角度が平角又は直角に選択的に限定される。なお、第２の側板３２０ｂ側にガイド部３３５に設けるようにしてもよい。
【００６４】
このように幅木取付具３００では、第１及び第２の係止片３３１，３３２のうちいずれか一方の基端部分３３１ａ，３３２ａに、他方の基端部分との連結角度を平角にする第１のガイド方向と、他方の基端部分との連結角度を直角にする第２のガイド方向とに選択的にガイドするガイド部３３５が設けられている。
【００６５】
［その他の実施形態］
上述の実施形態に係る幅木取付具では、凹状部の各側板の上端を下方に向けて逆Ｊ字に屈曲させて引掛部を形成しているが、図１１（ａ）に示すように、凹状部を構成する側板４２０ａ，４２０ｂには引掛部を設けなくてもよい。
【００６６】
また、図１１（ｂ）に示すように、凹状部を構成する側板４２０ａ，４２０ｂの一部にそれぞれ切り起こされて形成される係合片４２６ａ，４２６ｂを、その先端が下方を向くように左右に突出する引掛部としてもよい。
【００６７】
ところで、引掛部は必ずしも逆Ｊ字状に屈曲形成したり、切り起こしたりした凸形状でなくてもよい。例えば、図１２に示すように、孔状に形成することもできる。そして、図１３に示すように、ボルト４００ａやナット４００ｂなどからなる締結具を用いて足場用幅木Ｎを連結固定することができる（図１３参照）。
【００６８】
なお、図１２（ａ）は単一の締結孔４０１からなる引掛部を示し、図１２（ｂ）は複数の締結孔４０１からなる引掛部を示し、図１２（ｃ）は締結孔４０１を長孔形状とした引掛部を示している。
【００６９】
以上、本発明の実施の形態のいくつかを図面に基づいて説明したが、これらは例示であり、いわゆる当業者の知識に基づいて、種々の変形、改良を施した他の形態で本発明を実施することが可能である。例えば、幅木取付具１０，１００，２００，３００は金属板からなる構成として説明したが、合成樹脂、金属鋳物などによる成形、あるいはアルミ型材で成形することもできる。また、線状体として紐６を用いたが、これはゴム紐や荷造り紐などを含み、さらに、線状体としてはロープや針金（鉄線）などからなる番線であってもよい。
【００７０】
また、実施形態では、ボルト４０ａ，１４０ａ，２４０ａ，３４０ａの一端を、第１の係止片３１，１３１，２３１，３３１の基端部分３１ａ，１３１ａ，２３１ａ，３３１ａに溶着等により固着し、第２の係止片３２の基端部分３２ａ，１３２ａ，２３２ａ，３３２ａに調整用長孔３３，１３３，２３３，３３３を穿設したが、第２の係止片３２の基端部分３２ａ，１３２ａ，２３２ａ，３３２ａにボルト４０ａ，１４０ａ，２４０ａ，３４０ａの一端を溶着等により固着し、第１の係止片３１の基端部分３１ａ，１３１ａ，２３１ａ，３３１ａに調整用長孔３３，１３３，２３３，３３３を穿設してもよい。さらに、第３、第４実施形態においては、ボルト２４０ａ，３４０ａを突設した第２の係止片２３２ａ，３３２ａが第１の係止片２３１ａ，３３１ａの下方に位置するため、第１の係止片２３１，３３１の基端部分２３１ａ，３３１ａの上向きに屈曲形成したガイド部２３５，３３５を下向きに屈曲形成するとよい。また、このとき、ガイド部２３５，３３５は第１の係止片２３１，３３１の基端部分２３１ａ，３３１ａと、第２の側板２２０ｂ、３２０ｂの基端部分２２４，３２４とに分離して形成することもできる。
【符号の説明】
【００７１】
Ｍ  仮設足場
Ｎ  足場用幅木
１  縦支柱
２  横桟
３  足場板
４  交さ筋交
１０，１００，２００，３００  幅木取付具
１１，１１１，２１１  凹状部
１２，１１２，２１２  係止部
２０，１２０，２２０，３２０  凹所
２１ａ，２１ｂ  折返部（引掛部）
４０１  締結孔（引掛部）
４２６ａ，４２６ｂ  係合片（引掛部）
３１  第１の係止片
３２  第２の係止片
３１ａ，３２ａ  基端部分
３１ｂ，３２ｂ  先端部分
３２ｃ  本体部分
４０  締結具
４０ａ  ボルト
４０ｂ  ナット
【図１】
2011246994.tif 000003
【図２】
2011246994.tif 000004
【図３】
2011246994.tif 000005
【図４】
2011246994.tif 000006
【図５】
2011246994.tif 000007
【図６】
2011246994.tif 000008
【図７】
2011246994.tif 000009
【図８】
2011246994.tif 000010
【図９】
2011246994.tif 000011
【図１０】
2011246994.tif 000012
【図１１】
2011246994.tif 000013
【図１２】
2011246994.tif 000014
【図１３】
2011246994.tif 000015